(57)【要約】【課題】大画面表示のための画面情報の新規作成と表示内容の再編集を汎用手段により容易に行えるとともに、多様な情報内容を同時に表示できる設備情報のための大画面表示システムを得る。【解決手段】対象設備３を監視し対象設備３についての管理機能を行う設備情報システムＰＳにおける設備情報を大画面表示装置１１に伝送し表示する大画面表示システムにおいて、大画面表示装置１１に伝送するための大画面表示用画面情報を構成する複数の画面情報要素を作成する画面作成装置１２、画面作成装置１２により作成された複数の画面情報要素を切替制御し大画面表示装置１１へ伝送する画面切替制御装置１３を備え、設備情報システムＰＳと画面作成装置１２および画面切替制御装置１３とを汎用ネットワーク１４により接続した。【選択図】図１
2006146448.tif 000002
【特許請求の範囲】
【請求項１】
設備を監視し設備についての管理機能を行う設備情報システムにおける設備情報を大画面表示装置に伝送し表示する大画面表示システムにおいて、前記大画面表示装置に伝送するための大画面表示用画面情報を構成する複数の画面情報要素を作成する画面作成装置、前記画面作成装置により作成された複数の画面情報要素を切替制御し前記大画面表示装置へ伝送する画面切替制御装置を備え、前記設備情報システムと画面作成装置および画面切替制御装置とを汎用ネットワークにより接続したことを特徴とする設備情報のための大画面表示システム。
【請求項２】
前記画面作成装置から前記大画面表示装置へ伝送される大画面表示用画面情報を構成する複数の画面情報要素を前記画面作成装置により作成し、前記複数の画面情報要素を前記画面切替制御装置によって個別に切替制御することを特徴とする請求項１に記載の設備情報のための大画面表示システム。
【請求項３】
前記画面作成装置により作成された複数の画面情報要素を画面切替装置を介して前記大画面表示装置へ伝送するとともに、前記画面切替装置を前記画面切替制御装置によって制御することにより画面切替制御を行うことを特徴とする請求項２に記載の設備情報のための大画面表示システム。
【請求項４】
前記画面作成装置により作成された複数の画面情報要素および前記設備情報システムから伝送される設備画面情報としての画面情報要素を前記画面切替制御装置によって切替制御し、前記大画面表示装置へ伝送することを特徴とする請求項１から請求項３までのいずれかに記載の設備情報のための大画面表示システム。
【請求項５】
前記設備情報としてのイベント情報に応じて画面切替制御装置により画面切替制御を行い、イベント情報に関連した画面を大画面表示することを特徴とする請求項１から請求項４までのいずれかに記載の設備情報のための大画面表示システム。
【請求項６】
前記設備情報としてのシーケンス処理制御情報に応じて画面切替制御装置により画面切替制御を行い、シーケンス処理情報に関連した画面を大画面表示することを特徴とする請求項１から請求項５までのいずれかに記載の設備情報のための大画面表示システム。
【請求項７】
前記画面切替制御装置によって前記大画面表示装置に表示する画面をスケジュール管理し、画面切替制御を行うことを特徴とする請求項１から請求項６までのいずれかに記載の設備情報のための大画面表示システム。
【発明の詳細な説明】
【技術分野】
【０００１】
この発明は、設備情報のための大画面表示システム、特に、設備監視・管理システムから収集した監視・管理情報等の設備情報を大画面表示装置を利用して大画面表示するシステムに関するものである。
【背景技術】
【０００２】
従来の大画面表示を行うシステムでは、プロセスの状態監視および制御情報を専用の画面作成装置に定期的に収集し、収集された情報を基に専用ソフトウエアを用いて大画面に表示する画面を作成していた（例えば、特許文献１参照）。
【０００３】
【特許文献１】特開２００３−５０６２９号公報
【発明の開示】
【発明が解決しようとする課題】
【０００４】
従来の大画面表示を行うシステムでは、大画面に表示する画面の作成を専用の機器およびソフトウエアを用いて行っていたため、画面の新規作成や再編集の際には画面作成メーカ等の専門技術者でなければ実施できなかった。また、大画面に表示する画面の切替はオペレータによる手動切替であったため、有事の際の画面展開（ＩＴＶモニタ画面の大画面表示）がスムーズでなかった。
【０００５】
この発明は、上記のような課題を解決するためになされたものであり、大画面表示のための画面情報の新規作成と表示内容の再編集を汎用手段により容易に行えるとともに、多様な情報内容を同時に表示できる設備情報のための大画面表示システムを得ようとするものである。
【課題を解決するための手段】
【０００６】
この発明に係る設備情報のための大画面表示システムでは、設備を監視し設備についての管理機能を行う設備情報システムにおける設備情報を大画面表示装置に伝送するための大画面表示用画面情報を構成する複数の画面情報要素を作成する画面作成装置、前記画面作成装置により作成された複数の画面情報要素を切替制御し前記大画面表示装置へ伝送する画面切替制御装置を備え、前記設備情報システムと画面作成装置および画面切替制御装置とを汎用ネットワークにより接続したものである。
【発明の効果】
【０００７】
この発明によれば、大画面表示のための画面情報の新規作成と表示内容の再編集を汎用手段により容易に行えるとともに、多様な情報内容を同時に表示できる設備情報のための大画面表示システムを得ることができる。
【発明を実施するための最良の形態】
【０００８】
実施の形態１．
この発明による実施の形態１を図１について説明する。図１は実施の形態１におけるシステム構成を示すブロック図である。
【０００９】
システム構成を示す図１において、設備監視・管理装置（コントロールステーション）１は対象設備３を監視し監視・管理情報を収集する。設備監視・管理装置（コントロールステーション）１と設備監視・管理装置（コントロールステーション）１にシステムバスで接続された設備監視・管理装置（オペレータステーション）２とにより設備監視・管理システムＰＳが構成される。
そして、設備監視・管理装置（コントロールステーション）１と設備監視・管理装置（オペレータステーション）２とを備えた設備監視・管理システムＰＳから監視・管理情報を収集し、大画面表示装置１１に表示する画面を作成する汎用パソコンおよび汎用的な画面作成ソフトウエアを適用した画面作成装置１２が設けられている。画面作成装置１２は大画面表示装置１１へ表示する画面を切替える画面切替制御装置１３により制御される画面切替装置としてのＲＧＢマトリクススイッチャ１５を介して大画面表示装置１１に接続されている。
【００１０】
画面作成装置１２は、大画面表示装置１１で表示するための大画面表示用画面情報をＮ面×Ｎ’面に分割して作成するものである。
すなわち、Ｎ面×Ｎ’面の大画面表示用画面情報は、表１に示すように、Ｘ軸におけるＮ面およびＹ軸におけるＮ’面のマトリクス要素としての分割された複数の小画面情報要素〔画面情報要素（１，１），画面情報要素（２，１），…，画面情報要素（Ｎ，１），画面情報要素（１，２），画面情報要素（２，２），…，画面情報要素（Ｎ，２），…，画面情報要素（１，Ｎ’），画面情報要素（２，Ｎ’），…，画面情報要素（Ｎ，Ｎ’）の全部または何れか一部であって、複数からなる画面情報要素〕として、それぞれ作成される。
【００１１】
【表１】
2006146448.tif 000003
【００１２】
設備監視・管理システムＰＳに設けられた設備監視・管理装置（オペレータステーション）２と画面作成装置１２および画面切替制御装置１３とはイーサネット（登録商標）［Ｅｔｈｅｒｎｅｔ（登録商標）］からなる汎用ネットワーク１４によって接続されている。
画面切替装置としてのＲＧＢマトリクススイッチャ１５は、画面切替制御装置１３からの切替え信号により大画面表示装置１１へ送信する画面情報を切替えるものである。画面作成装置１２によって作成されたＮ面×Ｎ’面の画面情報は、画面情報伝送路１６を介してＲＧＢマトリクススイッチャ１５に伝送される。
また、設備監視・管理装置（オペレータステーション）２における監視画面等の画面情報が、画面情報伝送路１７を介してＲＧＢマトリクススイッチャ１５に伝送される。
【００１３】
画面作成装置１２によって作成され、ＲＧＢマトリクススイッチャ１５に伝送されるＮ面×Ｎ’面の画面情報〔画面情報要素（１，１），画面情報要素（２，１），…，画面情報要素（Ｎ，１），画面情報要素（１，２），画面情報要素（２，２），…，画面情報要素（Ｎ，２），…，画面情報要素（１，Ｎ’），画面情報要素（２，Ｎ’），…，画面情報要素（Ｎ，Ｎ’）〕、および、設備監視・管理装置（オペレータステーション）２からの画面情報〔画面情報要素（Ｎ，１），画面情報要素（Ｎ，Ｎ’）〕は、設備監視・管理装置（オペレータステーション）２とネットワーク１４によって接続された画面切替制御装置１３によりＲＧＢマトリクススイッチャ１５が制御されて画面切替制御され、Ｎ面×Ｎ’面の画面情報〔画面情報要素（１，１），画面情報要素（２，１），…，画面情報要素（Ｎ−１，１），画面情報要素（１，２），画面情報要素（２，２），…，画面情報要素（Ｎ，２），…，画面情報要素（１，Ｎ’），画面情報要素（２，Ｎ’），…，画面情報要素（Ｎ−１，Ｎ’）〕、および、設備監視・管理装置（オペレータステーション）２からの画面情報〔画面情報要素（Ｎ，１），画面情報要素（Ｎ，Ｎ’）〕が大画面表示装置１１に伝送される。
【００１４】
大画面表示装置１１においては、これらの画面情報に基づいて大画面Ｓが表示されることになる。
画面作成装置１２によって作成された画面情報に基づく分割画面が画面ＳＡ〔画面情報要素（１，１），画面情報要素（２，１），…，画面情報要素（Ｎ−１），画面情報要素（１，２），画面情報要素（２，２），…，画面情報要素（Ｎ，２），…，画面情報要素（１，Ｎ’），画面情報要素（２，Ｎ’），…，画面情報要素（Ｎ−１，Ｎ’）に相当〕として表示され、これら複数の画面情報要素による統合された統一性を持つ単一の画像が大画面Ｓにおいて表示される。
また、設備監視・管理装置（オペレータステーション）２からの監視画面等の画面情報に基づく分割画面が画面ＳＢ〔画面情報要素（Ｎ，１），画面情報要素（Ｎ，Ｎ’）に相当〕として表示される。
【００１５】
次に、動作について説明する。
設備監視・管理システムＰＳにおける設備監視・管理装置（コントロールステーション）１によって対象設備３の設備監視・管理情報が収集される。設備監視・管理情報は設備監視・管理装置（コントロールステーション）１から設備監視・管理装置（コントロールステーション）１とシステムバス４で接続された設備監視・管理装置（オペレータステーション）２を経由し汎用ネットワーク１４を介して画面作成装置１２に伝送され、画面作成装置１２によって大画面表示装置１１で表示する画面を作成する。
画面作成装置１２には汎用パソコンを適用することが可能であり、また、画面作成装置１２に搭載する画面作成ソフトウエアには汎用的なソフトウエアを適用することが可能であるため、新規作成・表示内容の再編集作業を容易にすることが可能である。
画面作成装置１２により作成された画面の画面情報は、Ｎ面×Ｎ’面に分割され、画面情報伝送路１６を経由してＲＧＢマトリクススイッチャ１５に伝送される。ＲＧＢマトリクススイッチャ１５は画面切替制御装置１３からの画面切替制御情報を受信し、要求の画面情報が大画面表示装置１１に伝送されるような画面切替制御を行う。大画面表示装置１１はＲＧＢマトリクススイッチャ１５から伝送された画面情報の表示を行う。大画面表示装置１１では、ＲＧＢマトリクススイッチャ１５から伝送されたＮ面×Ｎ’面に分割されている複数の画面情報要素による画面が統合され統一性を持った単一の画像を構成する複数の画面ＳＡとして大画面Ｓにおいて表示される。
【００１６】
また、設備監視・管理システムＰＳにおける設備監視・管理装置（コントロールステーション）１で収集された監視・管理情報は、設備監視・管理装置（オペレータステーション）２にて監視画面等の設備情報として画面表示され、その画面情報は、画面情報伝送路１７を経由してＲＧＢマトリクススイッチャ１５に伝送される。伝送された画面情報は、ＲＧＢマトリクススイッチャ１５にて画面切替制御され大画面表示装置１１に伝送される。大画面表示装置１１では設備監視・管理装置（オペレータステーション）２にて表示されている画面と同一の画面が大画面Ｓを構成する分割画面としての画面ＳＢとして表示される。
【００１７】
画面切替制御装置１３での画面切替制御は、設備監視・管理装置（オペレータステーション）２の操作画面上にて行われた画面切替操作をネットワーク１４経由にて画面切替制御装置１３で受信し、大画面表示装置１１とＲＧＢマトリクススイッチャ１５に対して画面切替制御情報を送信する。
【００１８】
このように大画面表示装置１１に表示する画面を作成する画面作成装置１２に汎用パソコンを適用すること、また、画面作成装置に搭載する画面作成ソフトウエアには汎用的なソフトウエアを適用することにより、新規作成・表示内容の再編集作業を容易にすることが可能になる。
また、画面作成装置１２で作成する大画面表示用の画面をＮ面×Ｎ’面に分割し大画面表示装置１１に表示することで、分割した其々の画面を画面切替制御装置１３より別々に画面表示制御でき、Ｎ面×Ｎ’面の画面毎に異なる情報を同時に表示することが可能となる。
【００１９】
この発明による実施の形態１では、大画面表示装置１１に表示する画面の新規作成、表示内容の再編集を容易に行うために、従来の設備監視・管理システムに、画面作成装置１２および画面切替制御装置１３をネットワーク接続し、設備の監視・管理情報を画面作成装置１２にて収集して大画面表示用の画面を作成し、画面情報を大画面表示装置１１に伝送し、表示するシステムであって、画面作成装置１２には汎用パソコンを適用することが可能であり、また、画面作成装置１２に搭載するソフトウエアには汎用的な画面作成ソフトウエアを適用することが可能であるため、容易に上記システムを構築することが可能であることを特徴とする設備監視・管理情報のための大画面表示システムが提案されている。
【００２０】
また、この発明による実施の形態１では、前記大画面表示システムにおいて、画面作成装置１２で作成する大画面表示用の画面をＮ面×Ｎ’面に分割し大画面表示装置１１に情報伝送することで、分割した其々の画面を画面切替制御装置１３より別々に画面切替制御することを可能とするシステムであって、画面切替制御は、設備監視・管理システムの操作画面にて入力された切替情報を画面切替制御装置１３にて収集し、画面切替制御装置１３より大画面表示装置１１およびＲＧＢマトリクススイッチャ（画像切替装置）１５に対して画面切替制御を行うことを特徴とする設備監視・管理情報のための大画面表示システムが提案されている。
【００２１】
この発明による実施の形態１によれば、設備を監視し設備についての管理機能を行う設備監視・管理システムＰＳからなる設備情報システムにおける設備監視・管理情報等の設備情報を大画面表示装置１１に伝送し表示する大画面表示システムにおいて、前記大画面表示装置１１に伝送するためのＮ面×Ｎ’面の画面情報からなる大画面表示用画面情報を構成する複数の画面情報要素〔画面情報要素（１，１），画面情報要素（２，１），…，画面情報要素（Ｎ，１），画面情報要素（１，２），画面情報要素（２，２），…，画面情報要素（Ｎ，２），…，画面情報要素（１，Ｎ’），画面情報要素（２，Ｎ’），…，画面情報要素（Ｎ，Ｎ’）の全部または何れか一部であって、複数からなる画面情報要素〕を作成する画面作成装置１２、前記画面作成装置１２により作成された複数の画面情報要素をＲＧＢマトリクススイッチャ１５からなる画像切替装置を制御することにより切替制御し前記大画面表示装置１１へ伝送する画面切替制御装置１３を備え、前記設備監視・管理システムＰＳからなる設備情報システムと画面作成装置１２および画面切替制御装置１３とを汎用ネットワーク１４により接続したので、設備情報システムと画面作成装置および画面切替制御装置とを汎用ネットワークにより接続することにより、大画面表示のための画面情報の新規作成と表示内容の再編集を汎用手段により容易に行えるとともに、多様な情報内容を同時に表示できる設備情報のための大画面表示システムを得ることができる。
【００２２】
また、この発明による実施の形態１によれば、前項の構成において、前記画面作成装置１２から前記大画面表示装置１１へ伝送されるＮ面×Ｎ’面の画面情報からなる大画面表示用画面情報を構成する複数の画面情報要素〔画面情報要素（１，１），画面情報要素（２，１），…，画面情報要素（Ｎ，１），画面情報要素（１，２），画面情報要素（２，２），…，画面情報要素（Ｎ，２），…，画面情報要素（１，Ｎ’），画面情報要素（２，Ｎ’），…，画面情報要素（Ｎ，Ｎ’）の全部または何れか一部であって、複数からなる画面情報要素〕を前記画面作成装置１２により作成し、前記複数の画面情報要素を前記画面切替制御装置１３によって個別に切替制御するようにしたので、画面作成装置により作成される複数の画面情報要素を画面切替制御装置によって個別に切替制御することにより、大画面表示のための画面情報の新規作成と表示内容の再編集を汎用手段により容易に行えるとともに、多様な情報内容を同時に表示できる設備情報のための大画面表示システムを得ることができる。
【００２３】
さらに、この発明による実施の形態１によれば、前項の構成において、前記画面作成装置１２により作成された複数の画面情報要素をＲＧＢマトリクススイッチャ１５からなる画面切替装置を介して前記大画面表示装置１１へ伝送するとともに、前記ＲＧＢマトリクススイッチャ１５からなる画面切替装置を前記画面切替制御装置１３によって制御することにより画面切替制御を行うようにしたので、複数の画面情報要素を画面切替制御装置によって制御される画面切替装置によって画面切替制御を行うことにより、大画面表示のための画面情報の新規作成と表示内容の再編集を汎用手段により容易に行えるとともに、多様な情報内容を同時に表示できる設備情報のための大画面表示システムを得ることができる。
【００２４】
そして、この発明による実施の形態１によれば、前３項のいずれかの構成において、前記画面作成装置１２により作成された複数の画面情報要素および前記設備情報システムＰＳにおける設備監視・管理装置（オペレータステーション）２から伝送される設備画面情報としての画面情報要素を前記画面切替制御装置１３によりＲＧＢマトリクススイッチャ１５からなる画面切替装置を制御して切替制御し、前記大画面表示装置１１へ伝送し大画面表示するようにしたので、大画面表示のための画面情報の新規作成と表示内容の再編集を汎用手段により容易に行えるとともに、設備情報システムから伝送される設備画面情報を含む多様な情報内容を同時に表示できる設備情報のための大画面表示システムを得ることができる。
【００２５】
実施の形態２．
この発明による実施の形態２を図２について説明する。図２は実施の形態２におけるシステム構成を示すブロック図である。
この実施の形態２において、ここで説明する特有の構成以外の構成については、先に説明した実施の形態１と同一の構成内容を具備し、同様の作用を奏するものである。図中、同一符号は同一または相当部分を示す。
【００２６】
システム構成を示す図２において、この実施の形態２におけるシステム構成は、図２に示す実施の形態１のシステム構成に、ＮＴＳＣマトリクススイッチャ２２からなるＮＴＳＣ画像切替装置を追加した構成である。
設備等を監視するＩＴＶカメラ２１が設けられ、ＮＴＳＣマトリクススイッチャ２２は画面切替制御装置１３からの切替え信号により大画面表示装置１１へ送信するＩＴＶカメラ２１からの監視映像情報を切替える。
画面切替制御装置１３は設備監視・管理装置（オペレータステーション）２から設備監視・管理装置（コントロールステーション）１におけるアラーム発令等のイベント情報を取込む。
【００２７】
画面作成装置１２によって作成され、ＲＧＢマトリクススイッチャ１５に伝送されるＮ面×Ｎ’面の画面情報〔画面情報要素（１，１），画面情報要素（２，１），…，画面情報要素（Ｎ，１），画面情報要素（１，２），画面情報要素（２，２），…，画面情報要素（Ｎ，２），…，画面情報要素（１，Ｎ’），画面情報要素（２，Ｎ’），…，画面情報要素（Ｎ，Ｎ’）：表１参照〕、ならびに、設備監視・管理装置（オペレータステーション）２からの設備監視・管理装置（コントロールステーション）１におけるアラーム発令等のイベント情報関連の画面情報を含む画面情報〔画面情報要素（Ｎ，１），画面情報要素（Ｎ，Ｎ’）：表１参照〕、および、ＩＴＶカメラ２１等の閉回路テレビジョン（ＣＣＴＶ）システムからの監視映像情報（ＮＴＳＣ）〔画面情報要素（１，Ｎ’）：表１参照〕は、ＲＧＢマトリクススイッチャ１５およびＮＴＳＣマトリクススイッチャ２２に伝送され、設備監視・管理装置（オペレータステーション）２とネットワーク１４によって接続された画面切替制御装置１３によりＲＧＢマトリクススイッチャ１５およびＮＴＳＣマトリクススイッチャ２２が制御されて画面切替制御され、Ｎ面×Ｎ’面の画面情報〔画面情報要素（１，１），画面情報要素（２，１），…，画面情報要素（Ｎ−１，１），画面情報要素（１，２），画面情報要素（２，２），…，画面情報要素（Ｎ，２），…，画面情報要素（１，Ｎ’），画面情報要素（２，Ｎ’），…，画面情報要素（Ｎ−１，Ｎ’）、ならびに、設備監視・管理装置（オペレータステーション）２からのイベント情報関連の画面情報を含む画面情報〔画面情報要素（Ｎ，１），画面情報要素（Ｎ，Ｎ’）〕、および、ＩＴＶカメラ２１等の閉回路テレビジョン（ＣＣＴＶ）システムからの監視映像情報（ＮＴＳＣ）〔画面情報要素（１，Ｎ’）〕が大画面表示装置１１に伝送される。
【００２８】
大画面表示装置１１においては、これらの画面情報に基づいて大画面Ｓが表示されることになる。
画面作成装置１２によって作成された画面情報に基づく分割画面が複数の画面ＳＡ〔画面情報要素（１，１），画面情報要素（２，１），…，画面情報要素（Ｎ−１），画面情報要素（１，２），画面情報要素（２，２），…，画面情報要素（Ｎ，２），…，画面情報要素（１，Ｎ’），画面情報要素（２，Ｎ’），…，画面情報要素（Ｎ−１，Ｎ’）に相当〕として表示され、これら複数の画面情報要素による統合され統一性を持った単一の画像が大画面Ｓにおいて表示される。
また、設備監視・管理装置（オペレータステーション）２からのイベント情報関連の画面情報を含む画面情報に基づく分割画面が画面ＳＢ〔画面情報要素（Ｎ，１），画面情報要素（Ｎ，Ｎ’）に相当〕として表示される。
そして、ＩＴＶカメラ２１等の閉回路テレビジョン（ＣＣＴＶ）システムからの監視映像情報（ＮＴＳＣ）に基づく分割画面が画面ＳＣ〔画面情報要素（１，Ｎ’）に相当〕として表示される。
【００２９】
次に、動作について説明する。
ＩＴＶカメラ２１からの監視映像情報はＮＴＳＣマトリクススイッチャ２２に伝送され、ＮＴＳＣマトリクススイッチャ２２にて画面切替制御装置１３からの画面切替制御情報を受信し、要求の映像情報がＲＧＢマトリクススイッチャ１５に伝送されるよう画面切替制御を行う。ＮＴＳＣマトリクススイッチャ２２からの映像情報の出力は、途中変換（ＮＴＳＣ映像情報→ＲＧＢ映像情報）されてＲＧＢマトリクススイッチャ１５に伝送される。ＲＧＢマトリクススイッチャ１５は画面切替制御装置１３からの画面切替制御情報を受信し、要求の映像情報が大画面表示装置１１に伝送されるよう画面切替制御を行う。大画面表示装置１１はＲＧＢマトリクススイッチャ１５から伝送された映像情報の表示を行う。
【００３０】
このように、ＲＧＢマトリクススイッチャ１５にてＮＴＳＣマトリクススイッチャ２２経由でＮＴＳＣ映像情報の取り込みを可能とすることで設備監視画面等の画面のみでなく、監視映像等も大画面表示装置１１に表示することが可能となる。
【００３１】
ここで、設備監視・管理システムＰＳから取込まれるイベント情報を基に画面切替制御装置１３からの画面切替制御装置を自動的に送信することにより、当該のイベント情報に応じたＩＴＶモニタ画面等を任意の大画面表示装置に表示することが可能となる。
対象設備３での故障発生等により設備監視・管理装置（コントロールステーション）１におけるアラーム発令等のイベント発生が設備監視・管理装置（オペレータステーション）２において確認されると、そのイベント情報が設備監視・管理装置（オペレータステーション）２に画面表示されるとともに、設備監視・管理装置（オペレータステーション）２によりそのイベント情報に係る設備監視・管理装置（オペレータステーション）２における設備監視・管理画面情報としての画面情報要素を含む設備監視・管理装置（オペレータステーション）２における設備監視・管理画面情報が伝送線１７を介してＲＧＢマトリクススイッチャ１５に伝送される。併せて、設備監視・管理装置（オペレータステーション）２における設備監視・管理画面情報としてのイベント情報が設備監視・管理装置（オペレータステーション）２から画面切替制御装置１３へ伝送される。
【００３２】
画面切替制御装置１３は、ＩＴＶカメラ２１等からの監視映像情報（ＮＴＳＣ）および画面作成装置１２によって作成されたＮ面×Ｎ’面の画面情報ならびにイベント情報を含む設備監視・管理装置（オペレータステーション）２における設備監視・管理画面情報（ＲＧＢ）に係る画面情報要素について、ＮＴＳＣマトリクススイッチャ２２およびＲＧＢマトリクススイッチャ１５を制御することによって、設備監視・管理装置（オペレータステーション）２からのイベント情報に基づき自動的に切替制御し、切替制御されたこれらの画面情報要素を大画面表示装置１１へ伝送する。
【００３３】
大画面表示装置１１における大画面Ｓでは、画面作成装置１２によって作成されたＮ面×Ｎ’面の画面情報による画面情報要素によって分割画面としての複数の画面ＳＡが表示され、これら複数の画面情報要素による統合され統一性を持った単一の画像が大画面Ｓにおいて表示されるとともに、イベント情報を含む設備監視・管理装置（オペレータステーション）２における設備監視・管理画面情報（ＲＧＢ）による画面情報要素によって分割画面としての画面ＳＢが表示され、さらに、設備監視・管理装置（オペレータステーション）２からのイベント情報に関連したＩＴＶカメラ２１等からの監視映像情報（ＮＴＳＣ）による画面情報要素によって分割画面としての画面ＳＣが表示される。
【００３４】
この実施の形態２では、設備監視・管理システムＰＳにて発生するアラーム発令等のイベント情報を画面切替制御装置１３に取り込み、当情報を基に画面切替制御装置１３より大画面表示装置１１およびマトリクススイッチャ（画像切替装置）１５，２２に対して自動的に画面切替制御を行い、イベント情報に関連した画面を大画面表示することを特徴とする設備監視・管理情報のための大画面表示システムが提案されている。
【００３５】
この発明による実施の形態２によれば、実施の形態１における構成において、設備監視・管理システムＰＳにおける設備監視・管理装置（オペレータステーション）２から伝送される設備情報としてのアラーム発令等のイベント情報に応じて画面切替制御装置１３によりＲＧＢマトリクススイッチャ１５およびＮＴＳＣマトリクススイッチャ２２からなる画面切替装置を制御して画面切替制御を行い、イベント情報に関連した画面を画面ＳＢとして大画面表示装置１１において大画面表示するようにしたので、大画面表示のための画面情報の新規作成と表示内容の再編集を汎用手段により容易に行えるとともに、設備監視・管理システムから伝送されるイベント情報を含む多様な情報内容を同時に表示できる設備情報のための大画面表示システムを得ることができる。
【００３６】
実施の形態３．
この発明による実施の形態３を図３について説明する。図３は実施の形態３におけるシステム構成を示すブロック図である。
この実施の形態３において、ここで説明する特有の構成以外の構成については、先に説明した実施の形態１および実施の形態２と同一の構成内容を具備し、同様の作用を奏するものである。図中、同一符号は同一または相当部分を示す。
【００３７】
ＩＴＶカメラ２１からの監視映像情報や、画面作成装置１２および設備監視・管理装置（オペレータステーション）２からの画面情報が大画面表示装置１１に伝送される過程は実施の形態２と同一であり、設備監視・管理システムより取込むシーケンス処理情報を基に画面切替制御装置１３からの画面切替制御情報を自動的に送信することにより、当該のシーケンス処理情報に応じたＩＴＶモニタ画面等を任意の大画面表示装置に表示することが可能となる。
【００３８】
画面作成装置１２によって作成され、ＲＧＢマトリクススイッチャ１５に伝送されるＮ面×Ｎ’面の画面情報〔画面情報要素（１，１），画面情報要素（２，１），…，画面情報要素（Ｎ，１），画面情報要素（１，２），画面情報要素（２，２），…，画面情報要素（Ｎ，２），…，画面情報要素（１，Ｎ’），画面情報要素（２，Ｎ’），…，画面情報要素（Ｎ，Ｎ’）：表１参照〕、ならびに、設備監視・管理装置（オペレータステーション）２からのシーケンス処理情報関連の画面情報を含む画面情報〔画面情報要素（Ｎ，１），画面情報要素（Ｎ，Ｎ’）：表１参照〕、および、ＩＴＶカメラ２１等の閉回路テレビジョン（ＣＣＴＶ）システムからの監視映像情報（ＮＴＳＣ）〔画面情報要素（１，Ｎ’）：表１参照〕は、ＲＧＢマトリクススイッチャ１５およびＮＴＳＣマトリクススイッチャ２２に伝送され、設備監視・管理装置（オペレータステーション）２とネットワーク１４によって接続された画面切替制御装置１３によりＲＧＢマトリクススイッチャ１５およびＮＴＳＣマトリクススイッチャ２２が制御されて画面切替制御され、Ｎ面×Ｎ’面の画面情報〔画面情報要素（１，１），画面情報要素（２，１），…，画面情報要素（Ｎ−１，１），画面情報要素（１，２），画面情報要素（２，２），…，画面情報要素（Ｎ，２），…，画面情報要素（１，Ｎ’），画面情報要素（２，Ｎ’），…，画面情報要素（Ｎ−１，Ｎ’）〕、ならびに、設備監視・管理装置（オペレータステーション）２からのシーケンス処理情報関連の画面情報を含む画面情報〔画面情報要素（Ｎ，１），画面情報要素（Ｎ，Ｎ’）〕、および、ＩＴＶカメラ２１等の閉回路テレビジョン（ＣＣＴＶ）システムからの監視映像情報（ＮＴＳＣ）〔画面情報要素（１，Ｎ’）〕が大画面表示装置１１に伝送される。
【００３９】
大画面表示装置１１においては、これらの画面情報に基づいて大画面Ｓが表示されることになる。
画面作成装置１２によって作成された画面情報に基づく分割画面が複数の画面ＳＡ〔画面情報要素（１，１），画面情報要素（２，１），…，画面情報要素（Ｎ−１），画面情報要素（１，２），画面情報要素（２，２），…，画面情報要素（Ｎ，２），…，画面情報要素（１，Ｎ’），画面情報要素（２，Ｎ’），…，画面情報要素（Ｎ−１，Ｎ’）に相当〕として表示され、これら複数の画面情報要素による統合され統一性を持った単一の画像が大画面Ｓにおいて表示される。
また、設備監視・管理装置（オペレータステーション）２からのシーケンス処理情報関連の画面情報を含む画面情報に基づく分割画面が画面ＳＢ〔画面情報要素（Ｎ，１），画面情報要素（Ｎ，Ｎ’）に相当〕として表示される。
そして、ＩＴＶカメラ２１等の閉回路テレビジョン（ＣＣＴＶ）システムからの監視映像情報（ＮＴＳＣ）に基づく分割画面が画面ＳＣ〔画面情報要素（１，Ｎ’）に相当〕として表示される。
【００４０】
次に、動作について説明する。
設備監視・管理システムＰＳにおける設備監視・管理装置（コントロールステーション）１では、設備監視作業等の作業工程についてシーケンス処理が実行されている。そのシーケンス処理情報が設備監視・管理装置（オペレータステーション）２に画面表示されるとともに、設備監視・管理装置（オペレータステーション）２によりそのシーケンス処理情報がネットワーク１４を介して画面切替制御装置１３へ伝送される。
【００４１】
画面切替制御装置１３は、ＩＴＶカメラ２１等からの監視映像情報（ＮＴＳＣ）および画面作成装置１２によって作成されたＮ面×Ｎ’面の画面情報ならびにイベント情報を含む設備監視・管理装置（オペレータステーション）２における設備監視・管理画面情報（ＲＧＢ）に係る画面情報要素について、ＮＴＳＣマトリクススイッチャ２２およびＲＧＢマトリクススイッチャ１５を制御することによって、設備監視・管理装置（オペレータステーション）２からのシーケンス処理情報に基づき自動的に切替制御し、切替制御されたこれらの画面情報要素を大画面表示装置１１へ伝送する。
【００４２】
大画面表示装置１１における大画面Ｓでは、画面作成装置１２によって作成されたＮ面×Ｎ’面の画面情報による画面情報要素によって分割画面としての複数の画面ＳＡが表示され、これら複数の画面情報要素による統合され統一性を持った単一の画像が大画面Ｓにおいて表示されるとともに、設備監視・管理装置（オペレータステーション）２における設備監視・管理画面情報（ＲＧＢ）による画面情報要素によって分割画面としての画面ＳＢが表示され、さらに、設備監視・管理装置（オペレータステーション）２からのシーケンス処理情報に関連したＩＴＶカメラ２１等からの監視映像情報（ＮＴＳＣ）による画面情報要素によって分割画面としての画面ＳＣが表示される。
【００４３】
この実施の形態３では、設備監視・管理システムにて管理するシーケンス処理制御情報を画面切替制御装置に取り込み、当情報を基に画面切替制御装置より大画面表示装置およびマトリクススイッチャ（画像切替装置）に対して自動的に画面切替制御を行い、シーケンス処理情報に関連した画面を大画面表示することを特徴とする設備監視・管理情報のための大画面表示システムが提案されている。
【００４４】
この発明による実施の形態３によれば、実施の形態１また実施の形態２における構成において、設備監視・管理システムＰＳにおける設備監視・管理装置（オペレータステーション）２から伝送される設備情報としてのシーケンス処理制御情報に応じて画面切替制御装置１３によりＲＧＢマトリクススイッチャ１５およびＮＴＳＣマトリクススイッチャ２２からなる画面切替装置を制御して自動的に画面切替制御を行い、シーケンス処理情報に関連した画面を画面ＳＢとして大画面表示装置１１において大画面表示するようにしたので、大画面表示のための画面情報の新規作成と表示内容の再編集を汎用手段により容易に行えるとともに、設備監視・管理システムから伝送されるシーケンス処理情報を含む多様な情報内容を同時に表示できる設備情報のための大画面表示システムを得ることができる。
【００４５】
実施の形態４．
この発明による実施の形態４を図４について説明する。図４は実施の形態４におけるシステム構成を示すブロック図である。
この実施の形態４において、ここで説明する特有の構成以外の構成については、先に説明した実施の形態１から実施の形態３までと同一の構成内容を具備し、同様の作用を奏するものである。図中、同一符号は同一または相当部分を示す。
【００４６】
この実施の形態４におけるシステム構成を示す図４において、構成としては実施の形態２と同様であり、画面切替制御装置１３にて設備監視・管理装置（オペレータステーション）２からスケジュール管理情報を取込む。
【００４７】
画面作成装置１２によって作成され、ＲＧＢマトリクススイッチャ１５に伝送されるＮ面×Ｎ’面の画面情報〔画面情報要素（１，１），画面情報要素（２，１），…，画面情報要素（Ｎ，１），画面情報要素（１，２），画面情報要素（２，２），…，画面情報要素（Ｎ，２），…，画面情報要素（１，Ｎ’），画面情報要素（２，Ｎ’），…，画面情報要素（Ｎ，Ｎ’）：表１参照〕、ならびに、設備監視・管理装置（オペレータステーション）２からのスケジュール管理理情報関連の画面情報を含む画面情報〔画面情報要素（Ｎ，１），画面情報要素（Ｎ，Ｎ’）：表１参照〕、および、ＩＴＶカメラ２１等の閉回路テレビジョン（ＣＣＴＶ）システムからの監視映像情報（ＮＴＳＣ）〔画面情報要素（１，Ｎ’）：表１参照〕は、ＲＧＢマトリクススイッチャ１５およびＮＴＳＣマトリクススイッチャ２２に伝送され、設備監視・管理装置（オペレータステーション）２とネットワーク１４によって接続された画面切替制御装置１３によりＲＧＢマトリクススイッチャ１５およびＮＴＳＣマトリクススイッチャ２２が制御されて画面切替制御され、Ｎ面×Ｎ’面の画面情報〔画面情報要素（１，１），画面情報要素（２，１），…，画面情報要素（Ｎ−１，１），画面情報要素（１，２），画面情報要素（２，２），…，画面情報要素（Ｎ，２），…，画面情報要素（１，Ｎ’），画面情報要素（２，Ｎ’），…，画面情報要素（Ｎ−１，Ｎ’）〕、ならびに、設備監視・管理装置（オペレータステーション）２からのスケジュール管理理情報関連の画面情報を含む画面情報〔画面情報要素（Ｎ，１），画面情報要素（Ｎ，Ｎ’）〕、および、ＩＴＶカメラ２１等の閉回路テレビジョン（ＣＣＴＶ）システムからの監視映像情報（ＮＴＳＣ）〔画面情報要素（１，Ｎ’）〕が大画面表示装置１１に伝送される。
【００４８】
大画面表示装置１１においては、これらの画面情報に基づいて大画面Ｓが表示されることになる。
画面作成装置１２によって作成された画面情報に基づく分割画面が複数の画面ＳＡ〔画面情報要素（１，１），画面情報要素（２，１），…，画面情報要素（Ｎ−１），画面情報要素（１，２），画面情報要素（２，２），…，画面情報要素（Ｎ，２），…，画面情報要素（１，Ｎ’），画面情報要素（２，Ｎ’），…，画面情報要素（Ｎ−１，Ｎ’）に相当〕として表示され、これら複数の画面情報要素による統合され統一性を持った単一の画像が大画面Ｓにおいて表示される。
また、設備監視・管理装置（オペレータステーション）２からのスケジュール管理情報関連の画面情報を含む画面情報に基づく分割画面が画面ＳＢ〔画面情報要素（Ｎ，１），画面情報要素（Ｎ，Ｎ’）に相当〕として表示される。
そして、ＩＴＶカメラ２１等の閉回路テレビジョン（ＣＣＴＶ）システムからの監視映像情報（ＮＴＳＣ）に基づく分割画面が画面ＳＣ〔画面情報要素（１，Ｎ’）に相当〕として表示される。
【００４９】
次に、動作について説明する。
ＩＴＶカメラ２１からの監視映像情報や、画面作成装置１２および設備監視・管理装置（オペレータステーション）２からの画面情報が大画面表示装置１１に伝送される過程は実施の形態２と同一であり、設備監視・管理システムＰＳから取込まれるスケジュール管理情報を基に画面切替制御装置１３からの画面切替制御情報を自動的に送信することにより、当該のスケジュール管理情報に応じて大画面表示装置に表示する画面を定期的に切換えることが可能となる。
【００５０】
画面切替制御装置１３にて大画面表示装置に表示する画面のスケジュール管理を行い、大画面表示装置１１およびマトリクススイッチャ（画像切替装置）１５，２２に対して画面切替制御を行う。
設備監視・管理システムＰＳにおける設備監視・管理装置（オペレータステーション）２では、大画面表示装置１１に表示する画面のスケジュール管理を行うためのスケジュール管理情報を作成する。このスケジュール管理情報は設備監視・管理装置（オペレータステーション）２に画面表示されるとともに、設備監視・管理装置（オペレータステーション）２により、そのスケジュール管理情報がネットワーク１４を介して画面切替制御装置１３伝送される。
【００５１】
画面切替制御装置１３は、ＩＴＶカメラ２１等からの監視映像情報（ＮＴＳＣ）および画面作成装置１２によって作成されたＮ面×Ｎ’面の画面情報ならびに設備監視・管理装置（オペレータステーション）２における設備監視・管理画面情報（ＲＧＢ）に係る画面情報要素について、ＮＴＳＣマトリクススイッチャ２２およびＲＧＢマトリクススイッチャ１５を制御することによって、設備監視・管理装置（オペレータステーション）２からのスケジュール管理情報に基づき自動的に切替制御し、切替制御されたこれらの画面情報要素を大画面表示装置１１へ伝送する。
【００５２】
大画面表示装置１１における大画面Ｓでは、画面作成装置１２によって作成されたＮ面×Ｎ’面の画面情報による画面情報要素によって分割画面としての複数の画面ＳＡが表示され、これら複数の画面情報要素による統合され統一性を持った単一の画像が大画面Ｓにおいて表示されるとともに、設備監視・管理装置（オペレータステーション）２における設備監視・管理画面情報（ＲＧＢ）による画面情報要素によって分割画面としての画面ＳＢが表示され、さらに、設備監視・管理装置（オペレータステーション）２からのスケジュール管理情報に関連したＩＴＶカメラ２１等からの監視映像情報（ＮＴＳＣ）による画面情報要素によって分割画面としての画面ＳＣが表示される。
【００５３】
この発明による実施の形態４によれば、実施の形態１から実施の形態３までのいずれかの構成において、設備監視・管理システムＰＳにおける設備監視・管理装置（オペレータステーション）２からスケジュール情報が伝送される前記画面切替制御装置１３によって大画面表示装置１１に表示する画面をスケジュール管理し、前記画面切替制御装置１３から前記スケジュール情報に基づいてＲＧＢマトリクススイッチャ１５およびＮＴＳＣマトリクススイッチャ２２からなる画面切替装置に対して画面切替制御を行い、大画面表示装置１１で大画面表示を行うようにしたので、大画面表示のための画面情報の新規作成と表示内容の再編集を汎用手段により容易に行えるとともに、スケジュール管理に基づいて多様な情報内容を同時に表示できる設備情報のための大画面表示システムを得ることができる。
【００５４】
以上のように、この発明によれば、大画面表示装置１１に表示する画面を汎用パソコンおよび汎用的な画面作成ソフトウエアを適用した画面作成装置１２にて作成することにより、画面の新規作成、表示内容の再編集を容易にするとともに、画面作成装置１２で作成する大画面表示用の画面をＮ面×Ｎ’面に分割し大画面表示装置１１に情報伝達することで、分割したそれぞれの画面を画面切替制御装置１３から別々に画面切替制御することを可能とし、Ｎ面×Ｎ’面の画面毎に異なる情報を同時に表示可能とすることができる。また、設備監視・管理システムＰＳから取込まれるイベント情報・シーケンス処理情報・スケジュール管理情報と画面切替制御装置１３を連動させることにより、有事の際の画面展開（ＩＴＶモニタ画面の大画面表示）を自動で切替可能とすることができる。
【図面の簡単な説明】
【００５５】
【図１】この発明による実施の形態１に係る設備情報のための大画面表示システムのシステム構成を示すブロック図である。
【図２】この発明による実施の形態２に係る設備情報のための大画面表示システムのシステム構成を示すブロック図である。
【図３】この発明による実施の形態３に係る設備情報のための大画面表示システムのシステム構成を示すブロック図である。
【図４】この発明による実施の形態４に係る設備情報のための大画面表示システムのシステム構成を示すブロック図である。
【符号の説明】
【００５６】
１  設備監視・管理装置（コントロールステーション）、２  設備監視・管理装置（オペレータステーション）、３  対象設備、４  システムバス、５  グラフィックパネル、６  グラフィックパネル表示情報伝送路、１１  大画面表示装置（Ｎ面×Ｎ’面）、１２  画面作成装置、１３  画面切替制御装置、１４  ネットワーク、１５  ＲＧＢマトリクススイッチャ、１６  画面作成装置にて作成したＮ面×Ｎ’面の画面情報伝送路、１７  設備監視・管理装置（オペレータステーション）上の監視・管理画面情報伝送路、２１  ＩＴＶカメラ、２２  ＮＴＳＣマトリクススイッチャ。
【図１】
2006146448.tif 000004
【図２】
2006146448.tif 000005
【図３】
2006146448.tif 000006
【図４】
2006146448.tif 000007